【事件の表示】
　平成　８年特許願第２４４８０９号「ディスク保持装置」拒絶査定に対する審判事件［平成１０年　４月１０日出願公開、特開平１０−　９２０７０］について、次のとおり審決する。
【結　論】
　本件審判の請求は、成り立たない。
【理　由】
１．手続の経緯・本願発明　
　　本願は、平成８年９月１７日の出願であって、その請求項１に係る発明は、平成１２年１０月２４日受付けの手続補正書によって補正された明細書及び図面の記載からみて、本願の特許請求の範囲の請求項１に記載された下記のとおりのものと認める（以下、本願発明という。）。
「【請求項１】　ターンテーブルの中央部に上方に突出した円盤状のディスク嵌合部が設けられ、このディスク嵌合部の裏面側の中心部にディスクモータの駆動軸に挿入固定される円筒状の軸挿入部が形成され、前記ディスク嵌合部の周側面の複数箇所に開口部が形成され、これら開口部のそれぞれに、ターンテーブル上の前記ディスク嵌合部に嵌合されたディスクの嵌合穴に係止する係止爪が退出可能に設けられ、これら係止爪の後端部と前記軸挿入部との間にそれぞれ弾性部材が介挿されることにより、前記係止爪が前記開口部から外方に突出するように付勢された構造のディスク保持装置において、前記複数個の係止爪は、前記ディスク嵌合部の内周面に嵌まり合う環状に形成された弾性変形可能な支持体に一体的に形成され、前記支持体は、隣接する係止爪の間の部分が前記軸挿入部に向けてＶ字状又はＵ字状に屈曲されていることを特徴とするディスク保持装置。」
　
　なお、平成１３年３月８日受付けの手続補正書は却下された。
　
２．引用例
　これに対して、原査定の拒絶の理由に引用された、特開平７−１９２３６８号公報には以下の事項が記載されている。
「【特許請求の範囲】
　【請求項１】　ディスク載置面（６）を具備するとともに、回転軸（Ｓ）に固定されたターンテーブル（Ｔ）と、
　前記回転軸（Ｓ）の周囲に等間隔に配設される数個のディスク係止部（２６）および、該数個のディスク係止部（２６）を回転軸（Ｓ）に垂直にかつ離れる方向に付勢するリング形状の付勢部（２４）を具備し、かつターンテーブル（Ｔ）のディスク載置面（６）側に配置されるとともに、合成樹脂で一体成形されているディスクチャック部材（Ｋ）とを備えたことを特徴とするディスク用ターンテーブル装置。
　【請求項２】　等間隔に設けられたディスク係止部（２６）同士相互の各中間位置において一端部が前記リング形状の付勢部（２４）に接合されるとともに、径方向に延在して形成されている径方向形状保持部（２２）と、
　これら径方向形状保持部（２２）の他端部を連結した形状保持リング（２１）とを前記ディスクチャック部材（Ｋ）が具備していることを特徴とする請求項１記載のディスク用ターンテーブル装置。
　【請求項３】　前記ディスク係止部（２６）は外側に突出することが可能な状態で、ディスクチャック部材（Ｋ）の前記付勢部（２４）を覆うキャップ（Ｃ）を備えたことを特徴とする請求項１または２記載のディスク用ターンテーブル装置。」
「【０００９】
　本発明は、以上のような課題を解決するためのもので、クランパーを用いないでディスクを保持することができ、部品点数が少なく、組み立てが簡単でかつ安価であるとともに、ディスクの心出し精度および押さえ精度が高いディスク用ターンテーブル装置を提供することを目的とする。」
「【００１３】
　【作　　用】
　ディスクをディスクチャック部材（Ｋ）に押し込むと、ディスク係止部（２６）がリング形状の付勢部（２４）に抗して回転軸（Ｓ）の方へ変位する。そして、ディスクがターンテーブル（Ｔ）のディスク載置面（６）に載置されると、リング形状の付勢部（２４）によりディスク係止部（２６）はディスクを回転軸（Ｓ）から離れる方向に押圧して保持する。そして、ディスクの心出しおよび押さえが行われる。」
「【００１７】
　図１において、ディスク用ターンテーブル装置は、ターンテーブルＴ、ディスクチャック部材ＫおよびキャップＣで構成されている。これらターンテーブルＴ、ディスクチャック部材ＫおよびキャップＣは各々合成樹脂で一体成形されている。
　【００１８】
（ターンテーブルＴについて）　図１において、このターンテーブルＴの円筒部１の中心にはモータＭ（図７参照）の回転軸Ｓが圧入される開口２が形成され、円筒部１の上部には円板部３が合成樹脂で一体成形されている。そして、前記開口２はこの円板部３の中心部も貫通して形成されている。
　【００１９】
　また、この円板部３の上面には、その外周部にリング状の平坦なディスク載置面６が、また、このディスク載置面６の内側にはリング状の凹部７が形成されている。さらに、この凹部７の内側にリング状の支持台８が上方に突出して形成されている。そして、この支持台８の上部外周部には段部９がリング状に形成されている。」
「【００２１】
　この径方向形状保持部２２の端部同士は３個の円弧バネ部２３により連結され、この円弧バネ部２３は３個が一体となって円形リング形状の付勢部２４を形成する。この円弧バネ部２３は細く形成されて弾性を有しており、棒バネの機能を有している。
　【００２２】
　この円弧バネ部２３の丁度真ん中には、ディスク係止部２６が配置されている。したがって、ディスク係止部２６は径方向形状保持部２２間の丁度真ん中に位置し、円形リング形状の付勢部２４に等間隔すなわち１２０度間隔で配置されている。このディスク係止部２６の横断面は図３に図示するように長方形に直角三角形を付加した形状をしており、上部傾斜面２６ａおよび下部傾斜面２６ｂが形成されている。そして、上部傾斜面２６ａおよび下部傾斜面２６ｂが垂直線（中心軸線）となす角度は各々４５度である。また、その平面は図４に図示するように長方形に半円形を付加した形状をしている。このディスクチャック部材Ｋをディスク用ターンテーブル装置に組み付けた状態は、図１および図２に図示してあるが、図２においては分かり易いように多数のドットを付してある。
　【００２３】
（キャップＣについて）　図５および図６において、剛性を有するキャップＣにはモータＭ（図７参照）の回転軸Ｓが圧入される内側円筒４１が設けられ、この内側円筒４１の上部には、中央部に円形の開口を具備する円板の蓋部４２が形成されている。この蓋部４２の外周の下部には外側円筒４３が設けられている。この外側円筒４３は内側円筒４１よりも長く形成され、その下端部は内側円筒４１の下端部よりも下方に延在している。また、外側円筒４３の外径はＣＤの孔の直径（内径）である１５ミリと略同じであるが、正確にはそれよりもやや小さな大きさである。外側円筒４３には等間隔にすなわち１２０度間隔に３個の矩形の開口４６が形成されている。
　【００２４】
（組み付けについて）　図７に図示するディスク用ターンテーブル装置は、図１ないし図６に図示するディスク用ターンテーブル装置と相違して、キャップＣの開口４６に代えて切欠き５１が形成され、かつ円弧バネ部２３の上下の幅が広く形成されている。また、ディスクチャック部材Ｋの形状保持リング２１の内径が、キャップＣの内側円筒４１の外径と略等しく形成されている。
　【００２５】
　そして、図７において、まず初めにモータＭの回転軸ＳにターンテーブルＴの円筒部１を圧入固定する。ついで、ディスクチャック部材Ｋを挿入して、その上からキャップＣの内側円筒４１をモータＭの回転軸Ｓに圧入固定する。すると、キャップＣの外側円筒４３の下端部がターンテーブルＴの支持台８の段部９に当接し組み付けられる。キャップＣが支持台８の段部９に挿入されることにより、キャップＣはターンテーブルＴに対して心出しがされる。同時にディスクチャック部材Ｋの形状保持リング２１がキャップＣの内側円筒４１の外周に嵌合するので、上記キャップＣの心出しにより、キャップＣ内に入れられているディスクチャック部材Ｋも同時に心出しがされる。　【００２６】
　なお、図１ないし図６に図示するディスク用ターンテーブル装置の場合には、前もって、ディスクチャック部材Ｋのディスク係止部２６を内側に押圧して弾性変形させて、キャップＣにディスクチャック部材Ｋを挿入し、キャップＣの外側円筒４３の内側にディスクチャック部材Ｋを嵌合させて、該キャップＣの開口４６とディスク係止部２６を一致させる。すると、ディスク係止部２６は開口４６から突出して、図２に図示する状態となる。そして、モータＭの回転軸ＳにターンテーブルＴの円筒部１を圧入固定する。ついで、前述のディスクチャック部材Ｋを組み込んだキャップＣの内側円筒４１をモータＭの回転軸Ｓに圧入固定する。」
「【００２８】
　図１および図９において、ＣＤを上から挿入すると、ＣＤの内周がディスクチャック部材Ｋのディスク係止部２６に当接して、ディスク係止部２６の先端の上部傾斜面２６ａを押圧する。すると、ディスク係止部２６は下方には移動できないので、ディスク係止部２６は円弧バネ部２３（図２参照）に抗してキャップＣの内側に移動する。ディスク係止部２６が内側に変位すると、ＣＤはディスク係止部２６の先端を通過して、下方に移動して図８および図１０に図示するように、ターンテーブルＴのディスク載置面６に載置される。
　【００２９】
　各ディスク係止部２６の下部傾斜面２６ｂは円弧バネ部２３の付勢力でＣＤを外側およびターンテーブルＴ側に押圧している。そして、外側への押圧でＣＤの心出しが、また、ターンテーブルＴ側への押圧でＣＤの押さえが行われる。また、このディスクチャック部材Ｋは１２０度毎に同一の形状をしているので、各円弧バネ部２３の付勢力は同じである。そして、ディスク係止部２６の上側はキャップＣの蓋部４２で、またその下側はターンテーブルＴの支持台８で規制されているので、ディスク係止部２６は上下方向には移動しないで、径方向に移動する。なお、図１に図示するディスク係止部２６の下側は外側円筒４３の下端部４３ａでも規制されている。したがって、ディスク係止部２６は径方向の直進運動を行うのでディスクの心出しおよび押さえが確実に行える。」
「【００３１】
　また、図８および図１０において、ＣＤをディスク用ターンテーブル装置から外す際には、ＣＤを上側に引き上げる。すると、ディスク係止部２６は上側に押圧されるが、キャップＣの蓋部４２により上には移動できないので、ＣＤ挿入時と同様に、ディスク係止部２６は円弧バネ部２３（図２参照）に抗してキャップＣの内側に移動する。そして、ＣＤはディスク係止部２６の先端を通過して、上方に外される。」
「【００３５】
（５）実施例においては、リング形状の付勢部の各円弧バネ部は、剛性の径方向形状保持部で分断されているが、
径方向形状保持部を設けないで各円弧バネ部同士を連結して完全なリング形状にすることも可能である。
　図１には、キャップＣのターンテーブルＴ側の中央部に、内側円筒４１が図示されている。
　
３．引用例の発明
　上記「２．引用例」の【００３５】の下線部の記載から、引用例には、以下の発明が記載されていると認められる（以下、引用例の発明という。）。
「ターンテーブルと、ターンテーブル上に上にディスク中央部に円形の開口を具備する円板の蓋部を備えたキャップが設けられ、このキャップの中央部にモータの回転軸に圧入固定される内側円筒が形成され、キャップの外側円筒に開口部が複数形成され、これらの開口部のそれぞれに、ターンテーブル上のキャップに挿入されたディスクの孔に当接するディスク係止部がキャップの内側に移動するように設けられ、これらディスク係止部の間に円弧バネ部が連結されていることにより、ディスク係止部が開口部からキャップ外側に突出するように付勢された構造のディスク用ターンテーブル装置において、
　ディスク係止部と付勢部は一体成形されたディスクチャック部材を形成し、複数のディスク係止部は、キャップの内周面に嵌まり合う環状に形成された弾性変形可能な付勢部に一体的に形成され、付勢部は、隣接するディスク係止部の間の部分が、弾性を有する円弧バネ部として形成され、ディスク係止部が内側に押圧されて、ディスクチャック部材がキャップに挿入嵌合されるディスク用ターンテーブル装置。」
　
４．対比　
　本願発明と引用例の発明を対比すると、引用例の発明もディスクをターンテーブルのディスク載置面に保持する装置であり、ディスク保持装置において、部品点数を削減し、組み立てを簡単にすることで両者は共通し、
　引用例の発明の「キャップ」「内側円筒」「外側円筒」「ディスク係止部」「付勢部」は、
　本願発明の「上方に突出した円盤状のディスク嵌合部」「軸挿入部」「周側面」「係止爪」「支持体」に相当し、
　引用例の「内側円筒」も図１に図示された形状から、本願発明と同様にキャップの裏面側の中心部に形成されていることから、
　両者は、
「ターンテーブルの中央部に上方に突出した円盤状のディスク嵌合部が設けられ、このディスク嵌合部の裏面側の中心部にディスクモータの駆動軸に挿入固定される円筒状の軸挿入部が形成され、前記ディスク嵌合部の周側面の複数箇所に開口部が形成され、これら開口部のそれぞれに、ターンテーブル上の前記ディスク嵌合部に嵌合されたディスクの嵌合孔に係止する係止爪が退出可能に設けられ、前記係止爪が前記開口部から外方に突出するように付勢された構造のディスク保持装置において、
　前記複数個の係止爪は、前記ディスク嵌合部の内周面に嵌まり合う環状に形成された弾性変形可能な支持体に一体的に形成され、前記支持体は、隣接する係止爪の間の部分が弾性部分として形成されていることを特徴とするディスク保持装置。」の発明で一致し、以下の点で相違すると認められる。
　
（１）ディスク嵌合部の周側面のそれぞれの開口部から係止爪を外方に突出するように付勢する部材が、本願発明では、各係止爪の後端部と軸挿入部との間に介挿された弾性部材であるのに対して、引用例の発明では、円弧バネ部である点で相違する。
（２）隣接する係止爪の間の部材が、本願発明では、軸挿入部に向けてＶ字状又はＵ字状に屈曲されるのに対して、引用例の発明では、円弧バネ部である点で相違する。
　
５．当審の判断
　上記相違点について検討する。　
（１）ディスク内周縁を係止する部材の後端部と、スピンドル軸の挿入部の間に弾性部材を介挿した構成は、例えば特開平８−１０２１１４号公報、特開平７−３０７０４９号公報、実願平３−７８１９９号（実開平５−２７８４６号）のマイクロフィルム等に記載されているように周知であり、引用例の発明において、ディスクを心出しし、ディスクを押さえるために、各ディスク係止部と内側円筒間に弾性部材を介挿することは、容易に推考できることと認められる。
（２）Ｖ字状又はＵ字状の屈曲されている部分を弾性変形させて径を小さくできる環状弾性部材は、実願平１−１５１６１号（実開平２−１０５８３４号）のマイクロフィルム（凹嵌部３）、実願平１−１８７６９号（実開平２−１１１６３０号）のマイクロフィルム（Ｖ字形凹部５）、実願平３−３００８８号（実開平４−１２４５０１号）のマイクロフィルム（図８従来例の湾曲部２８）等に記載されているとおり周知であり、刊行物１の発明において、ディスク係止部と付勢部と一体の部材の挿入を容易にするため、周知のＶ字状又はＵ字状の屈曲部をディスク係止部間に形成することは、容易に推考できることと認められる。
　さらに、本願の詳細な説明の「【００２２】　このように、支持体２０にＶ字状等の弾性部分２０ａを形成することにより、図７に示すように支持体２０をわずかな力でより小さく弾性変形できるので、支持体２０をディスク嵌合部６に嵌め合わせる際の作業が容易となるものである。
また、本実施形態のものは、図４に示す実施形態のもののように環状の一部を切除するものではないので、十分な弾性復元力が得られるため、図１に示すスプリング３，３，３を省略することも可能であり、これを省略した場合には、さらに部品点数を削減することができるとともに、組み立て作業（組み立て工程）をより単純化することができる。
スプリング３，３，３
　
６．むすび　
　したがって、本願発明は、引用例に記載された発明に基いて当業者が容易に発明をすることができたものであるので、特許法第２９条第２項の規定により特許を受けることができない。 
　 よって、結論のとおり審決する。